(57)【要約】【課題】  サーマルヘッドを用いて光沢を付与する画像形成装置において、フィルムを一定のテンションで巻き取ることで、記録紙の搬送不良や光沢不良が発生するのを防止すること。【解決手段】  画像形成装置１００は、記録紙Ｐの任意の領域に光沢を付与するサーマルヘッド２０１と、サーマルヘッド２０１と記録紙Ｐとの間に位置するフィルム２０２と、フィルム２０２に加えられるテンションを検知するテンションセンサ２０９を有する。そして、テンションセンサ２０９により検知されるテンションが所定範囲内になるように、フィルム２０２の送り出し速度と巻取り速度との速度差を制御する。【選択図】  図２
2011128382.tif 000002
【特許請求の範囲】
【請求項１】
記録紙を給紙する給紙手段と、
前記給紙手段により給紙された記録紙にトナー像を転写する転写手段と、
前記転写手段により記録紙に転写されたトナー像を定着する定着手段と、
前記定着手段によりトナー像を定着された記録紙の任意の領域に光沢を付与するサーマルヘッドと、
前記サーマルヘッドと記録紙との間に位置するフィルムと、
前記フィルムを送り出す送出手段と、
前記送出手段により送り出された前記フィルムを巻き取る巻取手段と、
前記巻取手段により前記フィルムが巻き取られる際の、前記フィルムに加えられるテンションを検知する検知手段と、
前記検知手段により検知された前記フィルムに加えられるテンションが所定範囲内になるように、前記送出手段による前記フィルムの送り出し速度と前記巻取手段による前記フィルムの巻取り速度との速度差を制御する制御手段と、
を有することを特徴とする画像形成装置。
【請求項２】
前記検知手段は、前記フィルムに光を照射する光源と、前記フィルムからの正反射光を受光する第１の受光手段と、前記フィルムからの乱反射光を受光する第２の受光手段とを有し、
前記制御手段は、前記第１の受光手段により受光された前記正反射光の光量と、前記第２の受光手段により受光された前記乱反射光の光量とに基づき、前記送出手段による前記フィルムの送り出し速度と前記巻取手段による前記フィルムの巻取り速度との速度差を制御することを特徴とする請求項１記載の画像形成装置。
【請求項３】
前記検知手段は、前記フィルムにテンションをかけるにつれて、前記第１の受光手段により受光される前記正反射光の光量が大きくなるように配置されることを特徴とする請求項２記載の画像形成装置。
【請求項４】
前記制御手段は、
前記正反射光の光量が第１の閾値以上の場合は、前記巻取り速度を第１の速度に設定し、
前記正反射光の光量が第１の閾値未満で、かつ、前記乱反射光の光量が前記第１の閾値よりも小さい第２の閾値以上の場合は、前記巻取り速度を前記第１の速度よりも速い第２の速度に設定し、
前記正反射光の光量が第１の閾値未満で、かつ、前記乱反射光の光量が前記第２の閾値未満で、かつ、前記乱反射光の光量が前記第２の閾値よりも小さい第３の閾値以上の場合は、前記巻取り速度を前記第２の速度よりも速い第３の速度に設定することを特徴とする請求項３記載の画像形成装置。
【請求項５】
前記制御手段は、
前記正反射光の光量が第１の閾値以上の場合は、前記送り出し速度を第３の速度に設定し、
前記正反射光の光量が第１の閾値未満で、かつ、前記乱反射光の光量が前記第１の閾値よりも小さい第２の閾値以上の場合は、前記送り出し速度を前記第３の速度よりも遅い第２の速度に設定し、
前記正反射光の光量が第１の閾値未満で、かつ、前記乱反射光の光量が前記第２の閾値未満で、かつ、前記乱反射光の光量が前記第２の閾値よりも小さい第３の閾値以上の場合は、前記送り出し速度を前記第２の速度よりも遅い第１の速度に設定することを特徴とする請求項３記載の画像形成装置。
【請求項６】
前記制御手段は、
前記正反射光の光量が第１の閾値未満で、かつ、前記乱反射光の光量が前記第２の閾値未満で、かつ、前記乱反射光の光量が前記第３の閾値未満の場合は、前記フィルムに異常が発生した旨の報知を行い、前記送出手段による前記フィルムの送り出し及び前記巻取手段による前記フィルムの巻取りを停止することを特徴とする請求項４又は５記載の画像形成装置。
【発明の詳細な説明】
【技術分野】
【０００１】
本発明は、複写機、プリンタ等の画像形成装置に関し、特に、記録紙に形成された画像に光沢を付与する画像形成装置に関する。
【背景技術】
【０００２】
従来の画像形成装置として、例えば、第１の定着器の後段に第２の定着器を設け、第１の定着器を通過した記録紙を第２の定着器で再加熱することにより、光沢を付与する方式が提案されている（例えば、特許文献１参照）。
【０００３】
しかしながら、この方式では、記録紙の全面に光沢を付与することが可能であるが、領域を限定して光沢を付与することができなかった。また、光沢を付与することを必要としない部分にまで熱を加えるので、消費電力が増大するという問題があった。
【０００４】
そこで、第１の定着器の後段に第２の定着器としてのサーマルヘッドを用いて任意の領域を再加熱することにより、画像が形成されている領域に限定して光沢を付与する方式が用いられている（例えば、特許文献２参照）。
【０００５】
この方式は、記録紙上のトナー像に対してフィルムを重ね合わせ、サーマルヘッドで部分加熱することにより光沢を付与するものである。フィルムは無色透明で、厚さは１０μｍ以下であり、再利用はせずに使い捨てとして使用する。
【先行技術文献】
【特許文献】
【０００６】
【特許文献１】特開昭６３−１９２０６８号公報
【特許文献２】特開２００７−５２１７５号公報、段落［００８０］
【発明の概要】
【発明が解決しようとする課題】
【０００７】
しかしながら、サーマルヘッドを用いる方式では、フィルムが巻き取られるにつれて、巻取り側のフィルムのロール径が大きくなるため、巻き取り始めから終わりまで、フィルムを引っ張る力（テンション）が一定ではない。このように、フィルムを巻き取るに際し、フィルムを引っ張る力（テンション）にバラツキが生じ、記録紙とフィルムとの間の摩擦による記録紙の搬送不良や光沢不良が発生する場合があった。
【０００８】
そこで、本発明は、サーマルヘッドを用いて光沢を付与する画像形成装置において、フィルムを一定のテンションで巻き取ることで、記録紙の搬送不良や光沢不良が発生するのを防止することを目的とする。
【課題を解決するための手段】
【０００９】
上記目的を達成するため、本発明に係る画像形成装置は、記録紙を給紙する給紙手段と、前記給紙手段により給紙された記録紙にトナー像を転写する転写手段と、前記転写手段により記録紙に転写されたトナー像を定着する定着手段と、前記定着手段によりトナー像を定着された記録紙の任意の領域に光沢を付与するサーマルヘッドと、前記サーマルヘッドと記録紙との間に位置するフィルムと、前記フィルムを送り出す送出手段と、前記送出手段により送り出された前記フィルムを巻き取る巻取手段と、前記巻取手段により前記フィルムが巻き取られる際の、前記フィルムに加えられるテンションを検知する検知手段と、前記検知手段により検知された前記フィルムに加えられるテンションが所定範囲内になるように、前記送出手段による前記フィルムの送り出し速度と前記巻取手段による前記フィルムの巻取り速度との速度差を制御する制御手段と、を有することを特徴とする。
【発明の効果】
【００１０】
本発明によれば、サーマルヘッドを用いて光沢を付与する画像形成装置において、フィルムを一定のテンションで巻き取ることで、記録紙の搬送不良や光沢不良が発生するのを防止することができる。
【図面の簡単な説明】
【００１１】
【図１】画像形成装置１００の断面図である。
【図２】光沢付与装置５５の断面図である。
【図３】サーマルヘッド２０１のヘッド配置図である。
【図４】サーマルヘッド２０１の電気構成を示すブロック図である。
【図５】テンションセンサ２０９の構成を示す断面図である。
【図６】フィルム２０２のテンションと、正反射光量及び乱反射光量との関係を示すグラフである。
【図７】画像形成装置１００及び光沢付与装置５５の制御ブロック図である。
【図８】第１の実施形態に係るフィルム２０２のテンションの制御を示すフローチャートである。
【図９】第２の実施形態に係るフィルム２０２のテンションの制御を示すフローチャートである。
【発明を実施するための形態】
【００１２】
（第１の実施形態）
図１は、画像形成装置１００の断面図である。
画像形成装置１００は、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部を備えている。
【００１３】
中間転写ベルト８の下方には、レーザースキャナユニット７が配置されており、各色の感光体２ａ（イエロー）、２ｂ（マゼンタ）、２ｃ（シアン）、２ｄ（ブラック）に各色の画像データに基づいて変調されたレーザ光を照射する。レーザ光の照射前には、それぞれ一次帯電器３ａ（イエロー）、３ｂ（マゼンタ）、３ｃ（シアン）、３ｄ（ブラック）にて、感光体２ａ、２ｂ、２ｃ、２ｄの全面を帯電させた状態にしている。
【００１４】
現像器４ａ、４ｂ、４ｃ、４ｄは、レーザースキャナユニット７によりレーザ光を照射された各色の感光体に各色のトナーを静電的に付着させる。各色の感光体に付着したトナーは、中間転写ベルト８に転写され、ベルトは図中Ａの方向に進行し、転写された各色のトナー像は、二次転写ローラ１２にて、記録紙Ｐへと再度転写される。
【００１５】
さらにその下方に給紙ユニット１７、手差しマルチトレイ２０を配置し、記録紙Ｐの搬送パス１８、搬送ローラ１９、二次転写ローラ１２を縦に配置し、その上方に定着器１６を備えている。
【００１６】
定着器１６は、内部にヒータパターンを印刷したセラミック基板などの熱源を有する定着フィルム１６ａと前記基板に前記フィルムをはさんで加圧される加圧ローラ１６ｂから構成される。
【００１７】
さらに、定着器１６の下流側には定着排紙ローラ２１、及び光沢付与装置５５が配置されている。記録紙Ｐの表裏面に画像を形成する場合には、定着排紙ローラ２１を逆回転することにより、片面の画像形成及び定着が終了した記録紙Ｐを両面搬送路２３へと搬送し、記録紙Ｐの裏面に再度画像形成を行うべく二次転写ローラ１２の方向へ再給紙する。
【００１８】
なお、記録紙センサ２４は、給紙ユニット１７や手差しマルチトレイ２０から給紙される記録紙Ｐ、及び両面搬送路２３から再給紙される記録紙Ｐを検知するためのセンサである。
【００１９】
光沢付与装置５５は、記録紙Ｐの任意の領域を再加熱して光沢を付与する装置である。光沢付与装置５５により記録紙Ｐへの光沢の付与が完了した後、記録紙Ｐは光沢付与装置５５から排紙トレイ２２へと排紙される。
【００２０】
図２は、光沢付与装置５５の断面図である。
定着排紙ローラ２１は、定着器１６の下流にあり、定着器１６から排出された記録紙Ｐを光沢付与装置５５へと搬送する。光沢付与装置５５には、サーマルヘッド２０１が記録紙Ｐの搬送方向に直交する幅方向に長手となるよう設けられている。図３に示されるように、サーマルヘッド２０１の先端Ｈにはｎ個の発熱部（Ｈ１、Ｈ２、・・・、Ｈｎ）が設けられている。発熱部（Ｈ１、Ｈ２、・・・、Ｈｎ）は、３００ｄｐｉの間隔で記録紙Ｐの幅の分だけ、およそ５０００個並べられている。
【００２１】
有限長のフィルム２０２は、送り出しモータ２１０により回転駆動される送り出しローラ２０４から送り出され、巻取りモータ２１１により回転駆動される巻取りローラ２０５により巻き取られる構成になっている。サーマルヘッド２０１に対向する対向ローラ２０３は、記録紙Ｐの搬送を行う。分離板２０６は、フィルム２０２と記録紙Ｐとを分離する機能を持つ。
【００２２】
定着排紙ローラ２１から矢印方向に搬送されてきた記録紙Ｐは、フィルム２０２と対向ローラ２０３により形成されるニップ部を通過する。このとき、サーマルヘッドがオンされた領域のみ記録紙Ｐ上のトナー像が再加熱され、光沢が付与された画像が形成される。再加熱された記録紙Ｐは、フィルム２０２と共に左方向に送り出される。記録紙Ｐは分離板２０６によりフィルム２０２と分離され、フィルム２０２が巻取りローラ２０５に巻き取られる一方、記録紙Ｐのみが光沢付与装置５５から排出される。
【００２３】
フィルム２０２に対向する位置に、フィルム２０２のテンション（弛み・張り）を検知するテンションセンサ２０９が設けられている。テンションセンサ２０９についての詳細な説明は後述する。
【００２４】
なお、光沢付与装置５５が配置される場所としては、画像形成装置１００内の定着器１６の後段に置かれてもよいし、画像形成装置１００と別体であってもよい。
【００２５】
図４は、サーマルヘッド２０１の電気構成を示すブロック図である。
シフトレジスタ４０１は、後述するＣＰＵ５０２からＣＬＫ信号に同期して順次入力されたＤＡＴＡ信号を１ライン分記憶する。ラッチレジスタ４０２は、ＬＡＴ信号のタイミングでシフトレジスタ４０１のデータをラッチする。ここで、ラッチされたデータがサーマルヘッド２０１を駆動する駆動信号となる。
【００２６】
ゲート回路４０３は、ＳＴＢ信号がＨｉｇｈの時にラッチレジスタ４０２にラッチされている駆動信号を出力する。ドライバ素子４０４は、サーマルヘッド２０１を駆動する素子であり、Ｈｉｇｈが入力されたときにサーマルヘッド２０１がオンされる。抵抗ヒータ４０５は、サーマルヘッド２０１のｎ個の発熱部（Ｈ１、Ｈ２、・・・、Ｈｎ）に対応して設けられた、ｎ個の抵抗（Ｒ１、Ｒ２、・・・、Ｒｎ）から構成される。
【００２７】
図５は、画像形成装置１００及び光沢付与装置５５の制御ブロック図である。
制御部５０１は、ＣＰＵ５０２、ＲＯＭ５０３、及びＲＡＭ５０４を有する。ＣＰＵ５０２は、画像形成装置１００全体を制御する制御回路である。ＲＯＭ５０３には、画像形成装置１００で実行する各種処理を制御するための制御プログラムが格納されている。ＲＡＭ５０４は、ＣＰＵ５０２が動作するためのシステムワークメモリであり、また画像データを一時記憶するための画像メモリとしても機能する。また、ユーザは、操作部５０５上の入力キーを用いて、操作部５０５に設けられた表示部の表示の切り替えをＣＰＵ５０２に指示することができる。
【００２８】
ＣＰＵ５０２は、外部のスキャナ、ＰＣ、及びＦＡＸ等の外部装置３００から画像データを受信し、画像形成装置１００の内部に設けられた各種センサ類５０７の出力に応じて、各種モータ類５０６を制御して記録紙Ｐへの画像形成動作を行う。
【００２９】
トナー像を形成された記録紙Ｐが光沢付与装置５５へ搬送されると、ＣＰＵ５０２は、送り出しモータ２１０及び巻取りモータ２１１を駆動してフィルム２０２の搬送を行う。そして、ＣＰＵ５０２は、サーマルヘッド２０１を駆動し、フィルム２０２を介して記録紙Ｐ上のトナー像を加熱し、光沢を付与する。
【００３０】
また、ＣＰＵ５０２は、テンションセンサ２０９の検知結果に基づいて、フィルム２０２のテンション（弛み・張り）を検知し、巻取りモータ２１１の駆動を制御してフィルム２０２のテンションを一定に保つ制御を行う。
【００３１】
図６は、テンションセンサ２０９の構成を示す断面図である。
テンションセンサ２０９は、光源４０１、正反射ディテクタ４０２、及び乱反射ディテクタ４０３から構成される。光源４０１は、赤外光を照射するＬＥＤで構成され、フィルム２０２に赤外光を照射する。正反射ディテクタ４０２は、フィルム２０２からの正反射光４０４を受光し、乱反射ディテクタ４０３は、フィルム２０２からの乱反射光４０５を受光する。
【００３２】
テンションセンサ２０９は、フィルム２０２にテンションをかける（フィルム２０２を張る）につれて、フィルム２０２からの正反射光４０４の光量が大きくなるように配置される。
【００３３】
図７は、フィルム２０２のテンションと、正反射光量及び乱反射光量との関係を示すグラフである。
フィルム２０２のテンションが小さくなり、フィルム２０２が弛むにつれ、正反射ディテクタ４０２で受光される正反射光４０４の光量が小さくなる。一方、フィルム２０２が弛むにつれ、乱反射ディテクタ４０３で受光される乱反射光４０５の光量は大きくなるが、ある一定のテンションを過ぎると乱反射光４０５の光量は小さくなる。
【００３４】
また、正反射光４０４も乱反射光４０５も検知できないとき（閾値Ｌ３未満）は、テンションセンサ２０９と対向する位置にフィルム２０２が存在しないこととなる。すなわち、この場合には、フィルム２０２がフィルム２０２の搬送方向に直交する幅方向に寄っている状態（フィルム２０２の寄り）が発生していると判断できる。
【００３５】
図８は、第１の実施形態に係るフィルム２０２のテンションの制御を示すフローチャートである。
【００３６】
このフローチャートを実行するためのプログラムは、ＲＯＭ５０３に記憶されており、ＣＰＵ５０２により読み出されることにより実行される。
【００３７】
まず、ＣＰＵ５０２は、記録紙Ｐへの光沢付与動作を開始するにあたり、送り出しモータ２１０及び巻取りモータ２１１をＯＮして、送出手段としての送り出しローラ２０４及び巻取手段としての巻取りローラ２０５の駆動を開始する（Ｓ８０１）。このとき、送り出しモータ２１０及び巻取りモータ２１１の速度は、通常時の速度である後述の第２の速度Ｖ２に設定されている。
【００３８】
次に、ＣＰＵ５０２は、テンションセンサ２０９をＯＮして、光源４０１からフィルム２０２に向けて光を照射する（Ｓ８０２）。その後、ＣＰＵ５０２は、テンションセンサ２０９からの信号に基づき、正反射光４０４の光量が第１の閾値Ｌ１以上かどうかを判断する（Ｓ８０３）。第１の閾値Ｌ１は、フィルム２０２のテンションが大きすぎ（張りすぎ）かどうかの境界に相当する値である。
【００３９】
正反射光４０４の光量が第１の閾値Ｌ１以上の場合（図７の領域Ａ）は、フィルム２０２のテンションが大きすぎ（張りすぎ）の状態にあることから、ＣＰＵ５０２は、巻取りモータ２１１の速度を、第１の速度Ｖ１に設定する（Ｓ８０４）。このように、送り出し速度よりも巻取り速度の方が遅くなるように、送り出しモータ２１０及び巻取りモータ２１１の間の速度差を制御することで、フィルム２０２のテンションを下げることができる。その後、ステップＳ８０３に戻る。
【００４０】
ステップＳ８０３において、正反射光４０４の光量が第１の閾値Ｌ１未満の場合は、ＣＰＵ５０２は、テンションセンサ２０９からの信号に基づき、乱反射光４０５の光量が第２の閾値Ｌ２（＜Ｌ１）以上かどうかを判断する（Ｓ８０５）。第２の閾値Ｌ２は、フィルム２０２のテンションが小さすぎ（弛みすぎ）かどうかの境界に相当する値である。
【００４１】
乱反射光４０５の光量が第２の閾値Ｌ２以上の場合（図７の領域Ｂ）は、フィルム２０２は適度なテンションにあることから、ＣＰＵ５０２は、巻取りモータ２１１の速度を、第２の速度Ｖ２（＞Ｖ１）に設定する（Ｓ８０６）。その後、ステップＳ８０３に戻る。
【００４２】
ステップＳ８０５において、乱反射光４０５の光量が第２の閾値Ｌ２未満の場合は、ＣＰＵ５０２は、テンションセンサ２０９からの信号に基づき、乱反射光４０５の光量が第３の閾値Ｌ３（＜Ｌ２）以上かどうかを判断する（Ｓ８０７）。第３の閾値Ｌ３は、フィルム２０２がテンションセンサ２０９と対向する位置に存在するかどうかの境界に相当する値である。
【００４３】
乱反射光４０５の光量が第３の閾値Ｌ３以上の場合（図７の領域Ｃ）は、フィルム２０２のテンション小さすぎ（弛みすぎ）の状態にあることから、ＣＰＵ５０２は、巻取りモータ２１１の速度を、第３の速度Ｖ３（＞Ｖ２）に設定する（Ｓ８０８）。このように、送り出し速度よりも巻取り速度の方が速くなるように、送り出しモータ２１０及び巻取りモータ２１１の間の速度差を制御することで、フィルム２０２のテンションを上げることができる。その後、ステップＳ８０３に戻る。
【００４４】
ステップＳ８０７において、乱反射光４０５の光量が第３の閾値Ｌ３未満の場合は、ＣＰＵ５０２は、操作部５０５に設けられた表示部にエラー表示を行い、ユーザに異常（フィルム２０２の寄り）が発生している旨を報知する（Ｓ８０９）。その後、ＣＰＵ５０２は、送り出しモータ２１０及び巻取りモータ２１１をＯＦＦし、送り出しローラ２０４及び巻取りローラ２０５の回転を停止する（Ｓ８１０）。
【００４５】
以上で説明したように、第１の本実施形態によれば、サーマルヘッド２０１を用いて光沢を付与する際に、フィルム２０２のテンションを所定範囲内に制御することで、記録紙Ｐの搬送不良や光沢不良が発生するのを防止することができる。
【００４６】
（第２の実施形態）
第１の実施形態では、巻取りモータ２１１の速度を制御して、送り出しモータ２１０及び巻取りモータ２１１の間の速度差を制御することとした。一方、第２の実施形態では、巻取りモータ２１１ではなく、送り出しモータ２１０の速度を制御して、モータ間の速度差を制御することとしたものである。
【００４７】
図９は、第２の実施形態に係るフィルム２０２のテンションの制御を示すフローチャートである。
【００４８】
このフローチャートを実行するためのプログラムは、ＲＯＭ５０３に記憶されており、ＣＰＵ５０２により読み出されることにより実行される。
【００４９】
第１の実施形態と同様の制御を行う工程については説明を省略し、第１の実施形態と異なる制御を行うステップＳ９０４、Ｓ９０６、及びＳ９０８についてのみ説明する。
【００５０】
ステップＳ９０３において、正反射光４０４の光量が第１の閾値Ｌ１以上と判断された場合（図７の領域Ａ）は、フィルム２０２のテンションが大きすぎ（張りすぎ）の状態にある。そこで、ＣＰＵ５０２は、送り出しモータ２１０の速度を、第３の速度Ｖ３（＞Ｖ２）に設定する（Ｓ９０４）。このように、巻取り速度よりも送り出し速度の方が速くなるように、送り出しモータ２１０及び巻取りモータ２１１の間の速度差を制御することで、フィルム２０２のテンションを下げることができる。
【００５１】
ステップＳ９０５において、乱反射光４０５の光量が第２の閾値Ｌ２以上と判断された場合（図７の領域Ｂ）は、フィルム２０２は適度なテンションにある。そこで、ＣＰＵ５０２は、送り出しモータ２１０の速度を、第２の速度Ｖ２（＜Ｖ３）に設定する（Ｓ９０６）。
【００５２】
ステップＳ９０７において、乱反射光４０５の光量が第３の閾値Ｌ３以上と判断された場合（図７の領域Ｃ）は、フィルム２０２のテンション小さすぎ（弛みすぎ）の状態にある。そこで、ＣＰＵ５０２は、送り出しモータ２１０の速度を、第１の速度Ｖ１（＜Ｖ２）に設定する（Ｓ９０８）。このように、巻取り速度よりも送り出し速度の方が遅くなるように、送り出しモータ２１０及び巻取りモータ２１１の間の速度差を制御することで、フィルム２０２のテンションを上げることができる。
【００５３】
以上の制御により、フィルム２０２のテンションを所定範囲内に制御することができ、第１の実施形態と同様の効果を得ることができる。
【００５４】
なお、上記の実施形態では、テンションセンサ２０９の出力が所定の閾値以上か、所定の閾値未満かに応じて、フィルム２０２のテンションを検知するものとしたが、テンションを検知できる方式であればこの構成に限らない。
【００５５】
また、上記の実施形態では、画像形成装置１００としてタンデム型のカラー画像形成装置を一例として示したが、電子写真方式の画像形成装置であれば、この構成に限られるものではない。
【符号の説明】
【００５６】
１２  二次転写ローラ（転写手段に対応）
１６  定着器（定着手段に対応）
１７  給紙ユニット（給紙手段に対応）
２０  マルチトレイ（給紙手段に対応）
５５  光沢付与装置
１００  画像形成装置
２０１  サーマルヘッド
２０２  フィルム
２０４  送り出しローラ（送出手段に対応）
２０５  巻取りローラ（巻取手段に対応）
２０９  テンションセンサ（検知手段に対応）
４０２  正反射ディテクタ（第１の受光手段に対応）
４０３  乱反射ディテクタ（第２の受光手段に対応）
５０２  ＣＰＵ（制御手段に対応）
Ｌ１  第１の閾値
Ｌ２  第２の閾値
Ｌ３  第３の閾値
Ｖ１  第１の速度
Ｖ２  第２の速度
Ｖ３  第３の速度
【図１】
2011128382.tif 000003
【図２】
2011128382.tif 000004
【図３】
2011128382.tif 000005
【図４】
2011128382.tif 000006
【図５】
2011128382.tif 000007
【図６】
2011128382.tif 000008
【図７】
2011128382.tif 000009
【図８】
2011128382.tif 000010
【図９】
2011128382.tif 000011